(57)【特許請求の範囲】
【請求項１】
互いに隣接する一対の柱と該柱の相対向面間に介在させた梁を備えた既設の軸組の前記柱の前記相対向面のそれぞれに前記梁の近傍に位置させて接合金具を突設する第一工程と、新梁を柱の前記相対向面間に介在させて端部を前記接合金具に組付ける第二工程および前記梁を前記軸組中から取り除く第三工程とから成り、前記第二工程において、前記新梁に設けた透孔を接合金具に設けた貫通孔又は切欠に一致するように前記新梁を前記接合金具にその下側から組合わせた後、結合杆を前記貫通孔又は切欠を通じて前記透孔に嵌挿、打込むようにした、木造建物の梁の取替方法。
【発明の詳細な説明】
【０００１】
【産業上の利用分野】
本発明は、木造建物の梁の取替方法に関するものである。
【０００２】
【従来の技術】
近年、木造建物においてもコンクリート建物と同様に改装が行われるようになっているが、それはあくまでも間取りの変更や壁面の改装等で、軸組材の取替は常態的に行われていない。
【０００３】
もっとも、軸組材、例えば柱が老朽化したとき、これを取替える発想はあり、柱の場合は荷重が負荷されるからジャッキアップすなわちジャッキ装置によって荷重を受けた状態にして取替えるようにする方法は考えとしては知られている（例えば、特許文献１）。
【０００４】
【特許文献１】
特開２００１−１９３２８７号公報（第６頁左欄）
【０００５】
【発明が解決しようとする課題】
前記の方法は、ジャッキ装置をいわば柱の代りとして横架材（梁や桁や土台）間に介在させ、老朽化した当該柱を取り除き、新たな柱を横架材間に介在させる方法を採るものであるが（文献１はこの点までの説明はない）、ジャッキ装置を用いるため、軸組間の壁材を除去する必要があり（文献１では除去するようになっている）、従って、取替工事そのものが大掛りとなり、人員を要するのみならず不必要な付帯工事を必要とし、費用も嵩むことになる。
【０００６】
本発明は、梁の取替を比較的低廉に行うことができる方法を提供すべく創案したのである。
【０００７】
【課題を解決するための手段】
互いに隣接する一対の柱と該柱の相対向面間に介在させた梁を備えた既設の軸組の前記柱の前記相対向面のそれぞれに前記梁の近傍に位置させて接合金具を突設する第一工程と、新梁を柱の前記相対向面間に介在させて端部を前記接合金具に組付ける第二工程および前記梁を前記軸組中から取り除く第三工程とから成り、前記第二工程において、前記新梁に設けた透孔を接合金具に設けた貫通孔又は切欠に一致するように前記新梁を前記接合金具にその下側から組合わせた後、結合杆を前記貫通孔又は切欠を通じて前記透孔に嵌挿、打込むようにしたものである。
【０００８】
【発明の実施の形態】
図面は本発明に係る取替方法を用いた軸組の実施形態を示し、図１は縦断面図、図２は横断面図である。
【０００９】
実施形態は、互いに隣接する一対の柱１，１と該柱１，１間に介在させた梁を備えた既設の軸組の、前記柱１，１の相対向面１ａ，１ａにおける前記梁の近傍に接合金具Ａを突設することを第一工程として得たものである。
【００１０】
接合金具Ａは、接合板２と該接合板２の基端面に熔接して設けた取付片３，３，３とで構成し、この接合金具Ａの接合板２は上下両側縁に、前記梁に代る新梁６の端面に設けたスリット７に直交する方向にして設けた切欠４，４と該切欠４，４間に設けた一対の貫通孔５，５を備え、また、この接合板２とで接合金具Ａを構成する取付片３は円板状の止着部片３ａの中央に嵌合棒３ｂを突設して構成し、止着部片３ａには前記嵌合棒３ｂを取り囲むようにして止着杆８貫通用の貫通孔９，９を設けて構成したものである。
【００１１】
そして、前記柱１，１（一方の柱は図示省略してある）の相対向面１ａの図示省略した前記既設の梁の近傍に、接合金具Ａの前記取付片３に対応する位置にして市販の座堀錐で受入穴１０を設け、該受入穴１０の中央の深い穴部１０ｂに嵌合棒３ｂ部を嵌挿するようにして深い穴部１０ｂを取り囲むようにして形成した、受入穴１０の浅い穴部１０ａに止着部片３ａを嵌合し、貫通孔９を通じて止着杆８を（実施形態ではねじ釘）柱１に埋入させて取付片３を柱１に止着するようにして接合金具Ａを前記対向面１ａより接合板２において突設するのである。
【００１２】
なお、嵌合棒３ｂは図示のようにその周側をローレット加工しておくと、受入穴１０の深い穴部１０ｂの壁面に確実に接触して、柱１に対する組付け状態を維持して、次段の前記止着杆８による止着操作を容易に行うことができる（実施形態の場合は、３個の受入穴１０，１０，１０乃至取付片３，３，３を用いているのでそれ程問題にならないが、単一な受入穴１０乃至取付片３を用いる場合は、柱１に対する接合金具Ａの、この仮止め状態はきわめて有効である）。
【００１３】
柱１，１と共に既設の軸組を構成する梁に代る前記新設の梁（新梁）６の端面中央には前記接合板２と対応するようにして前記スリット７を設けておき、このスリット７と直交する方向にして接合板２に設けた前記切欠４，４および貫通孔５，５と対応するようにして通孔１１，１１，１１，１１を設け、該通孔１１，１１，１１，１１中の最下位の通孔１１に第一結合杆１２（図面上、符号１２´Ａで示す）を嵌挿して新梁６端部に組付けておき（概し、工場で行う）、この第一結合杆１２を組付けた新梁６を、前記スリット７部を柱端面より突設した接合板２（接合金具Ａ）に一致させて、柱対向面１ａに沿わせて移動させると、新梁６はその端部に設けた前記第一結合杆１２が接合板２の切欠４の奥端に係止した位置においてその移動が停止され、柱１，１間に設置され、予め、一致する関係で設けて配置された貫通孔５と通孔１１、および他の切欠４（の奥端部）と通孔１１のそれぞれに第一結合杆１２と同様の、ドリフトピンで成る第二結合杆１２´を嵌挿、打込むことによって新梁６は端部において柱１に止着され、柱１，１間に架設され、前記第一工程に続く次段の工程である第二工程を終える。
【００１４】
そして、次いで、新設の梁６の近傍に位置する既設の梁を切断して取り除くことにより梁の取替作業を終える。
【００１５】
なお、実施形態の新梁６に予め組付けた最下位の第二結合杆１２´（図１、１２´Ａで図示）は、前記下側の切欠４に係止して新梁６の柱１，１間への係合作業の、いわば位置決め的な機能をすることになる。結合杆１２´を切欠４の奥端に係止させた後、互いに一致する残余の貫通孔５と通孔１１に結合杆１２，１２´を嵌挿、打込むことは前記の通りである。
【００１６】
また、符号１２´Ａで示す第二結合杆１２´の新梁６に対する組付けを省略しても良く（位置決め機能を期待せずに）、いずれにしても、該第二結合杆（符号１２´Ａで示す）１２´以外の結合杆１２，１２´のいずれか一つの結合杆１２又は１２´を、新梁６を接合金具Ａに組合わせて当該新梁６に嵌挿、打込むことにより、該打込んだ結合杆１２又は１２´によって新梁６は該一つの結合杆１２又は１２´を介して接合金具Ａに支持させることになり、その結果、新梁６のクレーン等による支持状態は必要となくなり、残余の他の結合杆１２´又は１２の嵌挿、打込み作業を円滑に行うことができる。
【００１７】
接合金具Ａの取付片３の嵌合棒３ｂは、受入穴１０の深い穴部１０ｂにいわば密嵌して接合金具Ａの柱１に対する組付け状態を維持するものであるが、この嵌合棒３ｂの柱１への埋入によって梁６側から負荷される荷重に対する耐荷重性能を増大させることができる。
【００１８】
【発明の効果】
本発明は前記の通りの構成であるから、既設の柱に接合金具を取付けることにより、柱と軸組を構成する梁を新梁に取替えられるから、取替作業を簡単に行うことができる。
【００１９】
また、既設の柱に対して何等の加工を施こさずに、接合金具と新梁との係合関係でのみ新梁を既設の柱間に介在させることを考慮すれば良いから、設計通りの取替え作業を行うことができる。しかも、本発明によれば梁より上側の階上床などの造作物を壊すことなく、新設の梁を設置して梁の取替を行うことができる。
【図面の簡単な説明】
【図１】  縦断面図。
【図２】  横断面図。
【符号の説明】
１      柱
２      接合板
６      新梁
７      スリット
８      止着杆
１０    受入穴
【図１】
0004482854.tif 000002
【図２】
0004482854.tif 000003